(57)【要約】 【課題】  ねじ挿入孔径の管理範囲を広くして、タッピングねじを締め込んだ際におけるねじ挿入孔の破損を防止する。【解決手段】  本発明における基板用コネクタ１はフード状に形成された樹脂製のコネクタハウジング５を有し、その両側面下部における奥壁６寄りには、ねじ止め部９が一体で外方に張り出し形成され、高さ方向に開口するねじ挿入孔３が形成されている。ねじ挿入孔３内には、タッピングねじ２が下方から基板４に貫通する挿通孔１０を通じてねじ込み可能となっている。ねじ挿入孔３の挿入方向手前側１４から奥側１５に向けて先細りとなるテーパ状にねじ挿入孔３を形成したから、製造工程におけるバラツキによりねじ挿入孔３が小径となった場合にも、ねじ山１１によって圧縮された肉が高さ方向に解放されることでねじ挿入孔３を破損することなくねじ込むことが可能である。【選択図】  図３
2007016898.tif 000002
【特許請求の範囲】
【請求項１】
固定面への固定を行うねじ止め部に設けられてねじ挿入孔の内周面をタッピングねじによりねじ切りしながら締め込みを行うコネクタであって、
前記ねじ挿入孔の内周面には、前記タッピングねじのねじ山が食い込む食い付き部と、除肉してねじ山の食い込み深さを前記食い付き部に比較して浅くする緩和部とを設けたことを特徴とするコネクタ。
【請求項２】
前記ねじ挿入孔は前記タッピングねじの挿入方向手前側から奥側に向けて先細りとなるテーパ状に形成されてなり、前記手前側を前記緩和部とし、前記奥側を前記食い付き部としたことを特徴とする請求項１記載のコネクタ。
【請求項３】
前記ねじ挿入孔は均一径をもって形成されてなり、前記タッピングねじの挿入方向に沿って径方向内側に向けて複数のリブが周方向への間隔を保有して設けられ、前記複数のリブを食い付き部とし、前記内周面のうち隣接する前記両リブの間の領域を前記緩和部としたことを特徴とする請求項１記載のコネクタ。
【発明の詳細な説明】
【技術分野】
【０００１】
本発明は、コネクタに関する。
【背景技術】
【０００２】
相手部材の固定面への固定を行うねじ止め部を備えたコネクタの一般的構造としては、下記特許文献１に記載のものが知られている。このものは、タッピングねじの外径とねじ挿入孔の内径とが共に高さ方向に均一となる径を有し、ねじ挿入孔の内周面の全高さ範囲に亘ってねじ切りしながら締め込むようになっている。
【特許文献１】実開昭６１−６０４８６号公報
【発明の開示】
【発明が解決しようとする課題】
【０００３】
近年、鉛フリー化への要請から部品実装時のリフロー温度条件が高温化しており、このような用途に用いるコネクタに対しては高耐熱材料が使用されている。しかしながら、高耐熱材料は硬くてもろいという一般的特性があり、例えばコネクタの成形工程における製造条件等のバラツキによってねじ挿入孔径の仕上がり寸法が小径となった場合には、タッピングねじの締め込みによりねじ挿入孔の内周面の肉が径方向外側に圧縮され、圧縮された肉が逃げ場を失って破損するおそれもある。
【０００４】
本発明は上記のような事情に基づいて完成されたものであって、ねじ挿入孔径の管理範囲を広くして、ねじ挿入孔が破損するのを防止することを目的とする。
【課題を解決するための手段】
【０００５】
上記の目的を達成するための手段として、請求項１の発明は、固定面への固定を行うねじ止め部に設けられてねじ挿入孔の内周面をタッピングねじによりねじ切りしながら締め込みを行うコネクタであって、前記ねじ挿入孔の内周面には、前記タッピングねじのねじ山が食い込む食い付き部と、除肉してねじ山の食い込み深さを前記食い付き部に比較して浅くする緩和部とを設けた構成としたところに特徴を有する。
【０００６】
請求項２の発明は、請求項１に記載のものにおいて、前記ねじ挿入孔は前記タッピングねじの挿入方向手前側から奥側に向けて先細りとなるテーパ状に形成されてなり、前記手前側を前記緩和部とし、前記奥側を前記食い付き部としたところに特徴を有する。
【０００７】
請求項３の発明は、請求項１に記載のものにおいて、前記ねじ挿入孔は均一径をもって形成されてなり、前記タッピングねじの挿入方向に沿って径方向内側に向けて複数のリブが周方向への間隔を保有して設けられ、前記複数のリブを食い付き部とし、前記内周面のうち隣接する前記両リブの間の領域を前記緩和部としたところに特徴を有する。
【発明の効果】
【０００８】
＜請求項１の発明＞
請求項１の発明によると、ねじ挿入孔の内周面に食い付き部と緩和部とを設け、緩和部は食い付き部と比較して食い込み深さが浅くなるようにしたから、製造工程のバラツキによりねじ挿入孔が小径となった場合に、食い付き部の肉がタッピングねじにより径方向外側に圧縮されたとしても、緩和部が圧縮された肉の逃げ場となって、ねじ挿入孔の破損を回避可能である。
【０００９】
＜請求項２，３の発明＞
上記した緩和部は孔の高さ方向に設定してもよく（請求項２）、あるいは周方向に設定してもよく（請求項３）、いずれの場合においてもねじ挿入孔が破損するのを規制可能である。
【発明を実施するための最良の形態】
【００１０】
＜実施形態１＞
本発明の実施形態１を図１ないし図３によって説明する。実施形態１における基板用コネクタ１（本発明におけるコネクタに相当する）は、図１に示すように、タッピングねじ２を用いて基板（本発明における固定面に相当する）４上に固定可能となっている。尚、以下の説明において、高さ方向とは図１におけるタッピングねじ２の挿入方向を基準とし、前後方向とは図示しない相手側コネクタとの嵌合方向を基準とし嵌合面側を前方とする。
【００１１】
基板用コネクタ１はフード状に形成された樹脂製のコネクタハウジング５を有している。コネクタハウジング５内部の奥壁６には、複数の雄端子金具７が貫通状態で前方に突出して設けられている。雄端子金具７の後端側は、略９０°下方に折り曲げられて基板４側と接続可能となっている。コネクタハウジング５の奥壁６より後方には、雄端子金具７を覆うようにして保護壁８が一体形成されている。
【００１２】
コネクタハウジング５の両側面下部における奥壁６寄りには、ねじ止め部９が一体で外方に張り出し形成されている。ねじ止め部９には、高さ方向に貫通するねじ挿入孔３が形成されている。ねじ挿入孔３内には、タッピングねじ２が下方から基板４に貫通する挿通孔１０を通じてねじ込み可能となっている。
【００１３】
タッピングねじ２は、図２に示すように、軸部がほぼ均一径をもって形成されている。タッピングねじ２のねじ山１１は、ねじ挿入孔３の内周面１３に食い込んでねじ切り可能なように先端が鋭利な形状となっている。また、基板４の挿通孔１０の内径は、ねじ山１１の外径とほぼ同じかやや大きめとなっているため、タッピングねじ２が遊挿可能となっている。
【００１４】
ねじ挿入孔３は、図２に示すように、ねじ挿入孔３の挿入方向手前側１４から奥側１５に向けて先細りとなるテーパ状に形成されている（図２ではテーパ角αをもって形成されている。α＜９０°）。そのため、タッピングねじ２を基板４の挿通孔１０を通じてねじ挿入孔３内にねじ込んだ状態（図３状態）では、ねじ挿入孔３の挿入方向手前側１４における食い込み深さは奥側１５における食い込み深さと比較して浅くなっている。すなわち、実施形態１においては、ねじ挿入孔３の挿入方向手前側１４が本発明における緩和部に相当し、奥側１５が本発明における食い付き部に相当する。また、図３の状態では、タッピングねじ２のねじ山１１が外部に露出しないようにねじ挿入孔３の高さが設定されている。
【００１５】
本実施形態は以上のような構造であって、続いてその作用を説明する。  
基板用コネクタ１を基板４上の所定の位置に載置し、タッピングねじ２を下方から基板４の挿通孔１０を通じてねじ挿入孔３内にねじ込む。そして、図３に示すようにねじ込みが完了すると、ねじ挿入孔３の挿入方向手前側１４における食い込み深さは、奥側１５における食い込み深さと比較して浅くなってはいるものの、基板用コネクタ１を基板４上に固定するのに十分な係止力が得られるようになっている。ここで、成形工程における製造条件のバラツキによりねじ挿入孔３が通常よりも小さめに仕上がったような場合には、主にねじ挿入孔３の挿入方向奥側１５でねじ山１１との間の接触抵抗が増大する。しかしながら、ねじ挿入孔３の挿入方向手前側１４では、ねじ山１１との接触抵抗が小さめに抑えられているため、ねじ挿入孔３全体で負荷を受けることが規制され、ねじ挿入孔３が破損に至るような事態が回避される。
【００１６】
以上のように、実施形態１においては、ねじ挿入孔３の挿入方向手前側１４から奥側１５に向けて先細りとなるテーパ状にねじ挿入孔３を形成したから、ねじ挿入孔３が小径となった場合でも、ねじ挿入孔３を破損させることなくねじ込みが可能である。すなわち、ねじ挿入孔３の孔径の管理範囲を従来よりも広くすることが可能となった。
【００１７】
＜実施形態２＞
次に、本発明の実施形態２を図４ないし図６によって説明する。実施形態１では緩和部と食い付き部とを高さ方向に配したが、実施形態２ではこれらを周方向に配したものである。尚、実施形態２における基板用コネクタ１は、その他の共通する構造については説明を省略する。実施形態２におけるねじ挿入孔１７は、均一径となるように形成されている。ねじ挿入孔１７の内周面１８には、図４または図５に示すように、タッピングねじ２の挿入方向に沿ってかつ全高さ範囲に亘って径方向内側に向けて図示４箇所のリブ（本発明における食い付き部に相当する）１２が周方向に等間隔で設けられている。本実施形態においては、ねじ挿入孔１７の内周面１８において周方向に隣接する両リブ１２，１２間の領域１６が、本発明における緩和部となっている。図６に示すようにねじ込みが完了すると、両リブ１２，１２間の領域１６における食い込み深さは、リブ１２における食い込み深さと比較して浅くなってはいるものの、基板用コネクタ１を基板４上に固定するのに十分な係止力が得られるようになっている。ここで、ねじ挿入孔１７が小径に形成された場合には、リブ１２でねじ山１１によって径方向外側に圧縮された肉が両リブ１２，１２間の領域１６を逃げ場として周方向に解放されることで、ねじ挿入孔１７が破損することを回避可能としている。
【００１８】
以上のように、実施形態２においては、ねじ挿入孔１７の高さ方向に沿って径方向内側にリブ１２を周方向に等間隔で４箇所形成したから、ねじ挿入孔３が小径となった場合にも、ねじ山１１によって圧縮された肉が周方向に解放されることでねじ挿入孔３を破損することなくねじ込むことが可能である。従って、実施形態１と同様にねじ挿入孔３の孔径の管理範囲を従来よりも広くすることが可能となった。
【００１９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２０】
（１）実施形態１においては、ねじ挿入孔の全高さ範囲に亘ってねじ山が食い込む構造を例示したが、タッピングねじとの十分な係止力を得ることができる場合には他の形態であってもよく、例えばねじ挿入孔の挿入方向手前側でねじ山が食い込んでいないものであってもよい。
【００２１】
（２）実施形態１および実施形態２においては、基板用コネクタを例示したが、固定面への固定を行うコネクタであればよく、他の種類のコネクタであってもよい。
【００２２】
（３）実施形態２においては、４箇所のリブを設けたものを例示したが、リブで圧縮された肉を両リブ間の領域で解放することができればリブは４箇所に限定されず、数は問わない。
【００２３】
（４）実施形態２においては、リブをタッピングねじの挿入方向に沿って設けたものを例示したが、斜めに形成してもよい。
【図面の簡単な説明】
【００２４】
【図１】実施形態１における基板用コネクタの斜視図
【図２】実施形態１においてタッピングねじをねじ挿入孔にねじ込む前の状態を示す断面図
【図３】実施形態１においてタッピングねじをねじ挿入孔にねじ込んだ状態を示す断面図
【図４】実施形態２における基板用コネクタの平面図
【図５】実施形態２においてタッピングねじをねじ挿入孔にねじ込む前の状態を示す断面図
【図６】実施形態２においてタッピングねじをねじ挿入孔にねじ込んだ状態を示す断面図
【符号の説明】
【００２５】
１…基板用コネクタ（コネクタ）
２…タッピングねじ
３…ねじ挿入孔
４…基板（固定面）
９…ねじ止め部
１１…ねじ山
１２…リブ（食い付き部）
１３…内周面
１４…ねじ挿入孔の挿入方向手前側（緩和部）
１５…ねじ挿入孔の挿入方向奥側（食い付き部）
１６…両リブ間の領域（緩和部）
１７…ねじ挿入孔
１８…内周面
【図１】
2007016898.tif 000003
【図２】
2007016898.tif 000004
【図３】
2007016898.tif 000005
【図４】
2007016898.tif 000006
【図５】
2007016898.tif 000007
【図６】
2007016898.tif 000008